(57)【要約】【課題】色割れを緩和しつつも、光の利用効率を改善させる。【解決手段】液晶装置（１）は、液晶表示部（１０）及び光源（２０）を備え、複数の光源色を時間的に切り替えることによって色を表示するフィールドシーケンシャル方式の液晶装置であって、複数のフィールドの少なくとも二つを用いて表示される色を少なくとも一つ有する第１動作モードで液晶表示部及び複数の光源を動作させる第１制御手段（３１、３２）と、複数のフィールドの一つを用いて表示される色のみを表示する第２動作モードで液晶表示部及び複数の光源を動作させる第２制御手段（３１、３２）と、動作モードを、第１動作モードから第２動作モードへと又は第１動作モードから第２動作モードへと切り替える切替手段（３４）とを備える。【選択図】図４
2011175050.tif 000002
【特許請求の範囲】
【請求項１】
液晶表示部及び夫々異なる色を発光する複数の光源を備え、前記複数の光源における複数の光源色を時間的に切り替えることによって色を表示するフィールドシーケンシャル方式の液晶装置であって、
複数のフィールドの少なくとも二つを用いて表示される色を少なくとも一つ有する第１動作モードで前記液晶表示部及び前記複数の光源を動作させる第１制御手段と、
前記複数のフィールドの一つを用いて表示される色のみを表示する第２動作モードで前記液晶表示部及び前記複数の光源を動作させる第２制御手段と、
前記液晶表示部及び前記複数の光源の動作モードを、前記第１動作モードから前記第２動作モードへと又は前記第１動作モードから前記第２動作モードへと切り替えるように前記第１制御手段及び前記第２制御手段を制御する切替手段と
を備えることを特徴とする液晶装置。
【請求項２】
前記切替手段により前記第１動作モードから前記第２動作モードへと切り替える前記液晶装置の周囲光の閾値を第１閾値とし、前記切替手段により前記第２動作モードから前記第１動作モードへと切り替える前記液晶装置の周囲光の閾値を第２閾値としたとき、前記第１閾値と前記第２閾値は同一であることを特徴とする請求項１に記載の液晶装置。
【請求項３】
前記切替手段により前記第１動作モードから前記第２動作モードへと切り替える前記液晶装置の周囲光の閾値を第１閾値とし、前記切替手段により前記第２動作モードから前記第１動作モードへと切り替える前記液晶装置の周囲光の閾値を第２閾値としたとき、前記第１閾値は前記第２閾値より小さいことを特徴とする請求項２に記載の液晶装置。
【請求項４】
前記切替手段により前記第１動作モードから前記第２動作モードへと切り替える、前記液晶装置の周囲光を含んだ前記液晶装置の表示画像のコントラストの閾値を第３閾値とし、前記切替手段により前記第２動作モードから前記第１動作モードへと切り替える、前記液晶装置の周囲光を含んだ前記液晶装置の表示画像のコントラストの閾値を第４閾値としたとき、前記第３閾値と前記第４閾値は同一であることを特徴とする請求項１に記載の液晶装置。
【請求項５】
前記切替手段により前記第１動作モードから前記第２動作モードへと切り替える、前記液晶装置の周囲光を含んだ前記液晶装置の表示画像のコントラストの閾値を第３閾値とし、前記切替手段により前記第２動作モードから前記第１動作モードへと切り替える、前記液晶装置の周囲光を含んだ前記液晶装置の表示画像のコントラストの閾値を第４閾値としたとき、前記第３閾値は前記第４閾値より大きいことを特徴とする請求項４に記載の液晶装置。
【請求項６】
前記第１動作モードにおいて、前記一つのフィールドのみで表示される色は、赤色（Ｒ）、緑色（Ｇ）及び青色（Ｂ）の少なくとも１つを含んでおり、
前記第１動作モードにおいて、前記少なくとも二つ以上のフィールドを用いて表示される色は、シアン（Ｃ）、マゼンダ（Ｍ）及び黄色（Ｙ）の少なくとも１つを含むことを特徴とする請求項１から５のいずれか一項に記載の液晶装置。
【請求項７】
前記液晶装置の周囲光の照度及び前記液晶装置の周囲光を含んだ前記液晶装置の表示画像のコントラストの少なくとも一方に応じて、前記第１動作モードにおける前記フィールドの駆動周波数を変更する変更手段を更に備えることを特徴とする請求項１から６のいずれか一項に記載の液晶装置。
【請求項８】
前記変更手段は、前記液晶装置の周囲光の照度が所定の第５閾値以上となる場合又は前記液晶装置の周囲光を含んだ前記液晶装置の表示画像のコントラストが所定の第６閾値未満となる場合における前記駆動周波数を、前記液晶装置の周囲光の照度が前記第５閾値未満となる場合又は前記液晶装置の周囲光を含んだ前記液晶表示部の表示画像のコントラストが前記第６閾値以上となる場合における前記駆動周波数よりも小さくするように前記駆動周波数を変更することを特徴とする請求項７に記載の液晶装置。
【請求項９】
前記液晶装置の周囲光の照度及び前記液晶装置の周囲光を含んだ前記液晶装置の表示画像のコントラストの少なくとも一方に応じて、前記第１動作モードにおける前記フィールドの駆動周波数並びに前記第２動作モードにおける前記フィールドの駆動周波数を変更する変更手段を更に備えることを特徴とする請求項１から８のいずれか一項に記載の液晶装置。
【請求項１０】
前記変更手段は、(i)前記第１動作モードでの動作時には、前記液晶装置の周囲光の照度が所定の第５閾値以上となる場合又は前記液晶装置の周囲光を含んだ前記液晶装置の表示画像のコントラストが所定の第６閾値未満となる場合における前記駆動周波数を、前記液晶装置の周囲光の照度が前記第５閾値未満となる場合又は前記液晶装置の周囲光を含んだ前記液晶表示部の表示画像のコントラストが前記第６閾値以上となる場合における前記駆動周波数よりも小さくするように前記駆動周波数を変更し、(ii)前記第２動作モードでの動作時には、前記液晶装置の周囲光の照度が所定の第７閾値以上となる場合又は前記液晶装置の周囲光を含んだ前記液晶装置の表示画像のコントラストが所定の第８閾値未満となる場合における前記駆動周波数を、前記液晶装置の周囲光の照度が前記第７閾値未満となる場合又は前記液晶装置の周囲光を含んだ前記液晶装置の表示画像のコントラストが前記第８閾値以上となる場合における前記駆動周波数よりも小さくするように前記駆動周波数を変更することを特徴とする請求項９に記載の液晶装置。
【請求項１１】
請求項１から１０のいずれか一項に記載の液晶装置を備えることを特徴とする電子機器。
【発明の詳細な説明】
【技術分野】
【０００１】
本発明は、例えば液晶装置及びこのような液晶装置を備える電子機器の技術分野に関する。
【背景技術】
【０００２】
液晶装置では、例えば表示パネルである液晶パネルを構成する一対の基板間において液晶を所定の配向状態としておき、例えば画像表示領域に形成された画素部毎に、液晶に所定の電圧を印加することにより、液晶における配向や秩序を変化させて、光を変調することにより階調表示を行う。
【０００３】
このような液晶装置として、フィールドシーケンシャル方式の液晶装置があげられる（例えば、特許文献１から３参照）。フィールドシーケンシャル方式の液晶装置では、１フレームを複数フィールド（例えば、赤色（Ｒ）フィールド、緑色（Ｇ）フィールド及び青色（Ｂ）フィールド）に分割し、１フレーム内において、例えばバックライトが備える赤（Ｒ）色発光素子、緑（Ｇ）色発光素子及び青（Ｂ）色発光素子を時間順次に発光させると共に、その発光タイミングに同期して１フィールド毎に対応する画像が液晶パネルに表示される。その結果、眼の残像現象を利用してカラー画像が表示される。
【０００４】
このようなフィールドシーケンシャル方式の液晶装置では、色割れ（カラーブレイク）が技術的な問題とされている。色割れは、動画像を表示する場合に、赤、緑及び青の各色の発光タイミングの時間差により、移動体のエッジ部分に色つきが生ずる現象である。この色割れは、急速に動くものがあるシーンや、人間の視線が急速に移動した場合や、液晶装置本体が揺れた場合等に認識されやすい。このような色割れを緩和するために、バックライトが備える個々の発光素子に対応するフィールド（例えば、上述の赤色（Ｒ）フィールド、緑色（Ｇ）フィールド及び青色（Ｂ）フィールド）に加えて、バックライトが備える個々の発光素子が発する光を混色することで得られる混合色に対応するフィールド（例えば、赤色光と緑色光を混色することで得られる黄色（Ｙ）に対応するフィールド等）を用いる構成が提案されている。より具体的には、通常黄色は、赤色フィールドでの赤色発光素子による発光及び緑色フィールドでの緑色発光素子による発光を夫々行うと共に残像効果を利用して表示されるが、色割れを緩和するために、黄色フィールドを新たに設けると共に当該黄色フィールドで赤色発光素子による発光及び緑色発光素子による発光を同時に行う構成が提案されている。言い換えれば、通常のフィールドシーケンシャル方式では、複数のフィールドのうちの少なくとも二つを用いて表示される色（例えば、赤色フィールド及び緑色フィールドを用いて表示される黄色）を表示することがあるが、色割れを緩和するために、複数のフィールドのうちの一つを用いて表示される色のみを表示する構成が提案されている。
【先行技術文献】
【特許文献】
【０００５】
【特許文献１】特開２００２−３６５６１１号公報
【特許文献２】特開２００３−２８７７３３号公報
【特許文献３】特開２００７−３３４２２３号公報
【発明の概要】
【発明が解決しようとする課題】
【０００６】
しかしながら、複数のフィールドのうちの一つを用いて表示される色のみを表示することで色割れを緩和することができるものの、一方で、光の利用効率が悪化してしまうという新たな技術的問題が生じてしまう。以下、光の利用効率の悪化について説明する。例えば、色割れを緩和するために赤色フィールド及び緑色フィールドに加えて混合色としての黄色に対応する黄色フィールドを用いている場合には、赤色を表示するためには赤色フィールドでの赤色発光素子の発光が行われ、緑色を表示するためには緑色フィールドでの緑色発光素子の発光が行われ、黄色を表示するためには黄色フィールドでの赤色発光素子及び緑色発光素子の夫々の発光が行われ、黒色を表示するためには全てのフィールドでの発光が行われない。従って、黄色を表示する場合には、赤色フィールド及び緑色フィールドでの発光が利用されることはない。このように、複数のフィールドのうちの一つを用いて表示される色のみを表示する場合には、３つのフィールドを用いて４色（具体的には、赤色、緑色、黄色及び黒色）を表示することになる。一方で、赤色フィールド及び緑色フィールドのみを用いている（つまり、複数のフィールドのうちの少なくとも二つを用いて表示される色を表示する）場合には、赤色を表示するためには赤色フィールドでの赤色発光素子の発光が行われ、緑色を表示するためには緑色フィールドでの緑色発光素子の発光が行われ、黄色を表示するためには赤色フィールドでの赤色発光素子の発光及び緑色フィールドでの緑色発光素子の夫々の発光が行われ、黒色を表示するためには全てのフィールドでの発光が行われない。従って、黄色を表示する場合には、赤色フィールド及び緑色フィールドの夫々での発光が利用される。このように、複数のフィールドのうちの少なくとも二つを用いて表示される色を表示することがある場合には、２つのフィールドを用いて４色（具体的には、赤色、緑色、黄色及び黒色）を表示することになる。従って、複数のフィールドのうちの一つを用いて表示される色のみを表示する場合には、光の利用効率が悪化してしまう。
【０００７】
他方で、複数のフィールドのうちの少なくとも二つを用いて表示される色を表示する場合には、光の利用効率が改善されるものの、色割れを緩和させることができないということに変わりはない。
【０００８】
本発明は、例えば上述した従来の問題点に鑑みなされたものであり、例えば色割れを緩和しつつも、光の利用効率を改善させることが可能な液晶装置及び電子機器を提供することを課題とする。
【課題を解決するための手段】
【０００９】
（液晶装置）
上記課題を解決するために、本発明の液晶装置は、液晶表示部及び夫々異なる色を発光する複数の光源を備え、前記複数の光源における複数の光源色を時間的に切り替えることによって色を表示するフィールドシーケンシャル方式の液晶装置であって、複数のフィールドの少なくとも二つを用いて表示される色を少なくとも一つ有する第１動作モードで前記液晶表示部及び前記複数の光源を動作させる第１制御手段と、前記複数のフィールドのうちの一つを用いて表示される色のみを表示する第２動作モードで前記液晶表示部及び前記複数の光源を動作させる第２制御手段と、前記液晶表示部及び前記複数の光源の動作モードを、前記第１動作モードから前記第２動作モードへと又は前記第１動作モードから前記第２動作モードへと切り替えるように前記第１制御手段及び前記第２制御手段を制御する切替手段とを備える。
【００１０】
本発明の液晶装置によれば、複数の光源を時間順次に且つフィールドに同期させながら発光させると共に、その発光タイミングに同期して１フィールド毎に対応する画像を液晶表示部に表示させる。その結果、眼の残像現象を利用してカラー画像が表示される。つまり、フィールドシーケンシャル方式を利用してカラー画像が表示される。
【００１１】
本発明の液晶装置は特に、第１制御手段と、第２制御手段と、切替手段とを備える。
【００１２】
第１制御手段は、複数のフィールドの少なくとも二つ以上を用いて表示される色を有する第１動作モードで液晶表示部及び複数の光源を動作させる。例えば、複数の光源色が赤色及び緑色を含んでいる場合には、第１制御手段は、赤色に対応するフィールド及び緑色に対応するフィールドを用いて色を表示する第１動作モードで液晶表示部及び複数の光源を動作させる。この場合、赤色に対応するフィールドで赤色光の発光が行われ且つ緑色に対応するフィールドで緑色光の発光が行われなければ、赤色の画像が表示される。同様に、赤色に対応するフィールドで赤色光の発光が行われず且つ緑色に対応するフィールドで緑色光の発光が行われれば、緑色の画像が表示される。同様に、赤色に対応するフィールドで赤色光の発光が行われ且つ緑色に対応するフィールドで緑色光の発光が行われれば、黄色の画像が表示される。同様に、赤色に対応するフィールドで赤色光の発光が行われず且つ緑色に対応するフィールドで緑色光の発光が行われなければ、黒色の画像が表示される。つまり、この第１動作モードの例では、赤色及び緑色は一つのフィールドを用いて表示される一方で、黄色は二つのフィールドを用いて表示される。
【００１３】
一方で、第２制御手段は、複数のフィールドの一つを用いて表示される色のみを表示する第２動作モードで液晶表示部及び複数の光源を動作させる。例えば、複数の光源色が赤色及び緑色を含んでいる場合には、第２制御手段は、赤色に対応するフィールド及び緑色に対応するフィールドに加えて、赤色と緑色とを混色することで得られる黄色に対応するフィールドを用いて色を表示する第２動作モードで液晶表示部及び複数の光源を動作させる。この場合、赤色に対応するフィールドで赤色光の発光が行われ、緑色に対応するフィールドで緑色光の発光が行われず、且つ黄色に対応するフィールドで赤色光及び緑色光の夫々の発光が行われなければ、赤色の画像が表示される。同様に、赤色に対応するフィールドで赤色光の発光が行われず、緑色に対応するフィールドで緑色光の発光が行われ、且つ黄色に対応するフィールドで赤色光及び緑色光の夫々の発光が行われなければ、緑色の画像が表示される。同様に、赤色に対応するフィールドで赤色光の発光が行われず、緑色に対応するフィールドで緑色光の発光が行われず、且つ黄色に対応するフィールドで赤色光及び緑色光の夫々の発光が行われれば、黄色の画像が表示される。同様に、赤色に対応するフィールドで赤色光の発光が行われず、緑色に対応するフィールドで緑色光の発光が行われず、且つ黄色に対応するフィールドで赤色光及び緑色光の夫々の発光が行われなければ、黒色の画像が表示される。つまり、この第２動作モードの例では、赤色、緑色及び黄色のいずれもが一つのフィールドを用いて表示される。
【００１４】
ここで、これらの２つの動作モード（つまり、第１動作モード及び第２動作モード）は、切替手段の制御下で切り替えられる。具体的には、以下に詳述する各種条件に応じて、切替手段は、第１制御手段の動作によって液晶表示部及び複数の光源を動作させる（つまり、第１動作モードでの動作が行われる）のか、又は第２制御手段の動作によって液晶表示部及び複数の光源を動作させる（つまり、第２動作モードでの動作が行われる）のかを適宜切り替える。その結果、第１制御手段の動作によって液晶表示部及び複数の光源を動作させると切替手段によって指示された場合には、液晶表示部及び複数の光源は、第２制御手段ではなく第１制御手段の動作によって動作させられる。一方で、第２制御手段の動作によって液晶表示部及び複数の光源を動作させると切替手段によって指示された場合には、液晶表示部及び複数の光源は、第１制御手段ではなく第２制御手段の動作によって動作させられる。
【００１５】
このように、第１動作モードから第２動作モードへの切り替え及び第２動作モードから第１動作モードへの切り替えを適宜行うことができるため、本発明の液晶装置は、以下に示す利点を有する。
【００１６】
まず、色割れの発生が顕著になる場合には、色割れを緩和させるという目的を重視して、第２動作モードで動作するように液晶表示部及び複数の光源を動作させることができる。このため、本発明の液晶装置によれば、第１動作モードで常に動作し続ける液晶装置と比較して、色割れを好適に緩和することができる。
【００１７】
一方で、色割れの発生が顕著にならない（言い換えれば、色割れが発生しない又は色割れが好適な表示に対して悪影響を及ぼさない程度にしか発生していない）場合には、光の利用効率を改善させるという目的を重視して、第１動作モードで動作するように液晶表示部及び複数の光源を動作させることができる。このため、本発明の液晶装置によれば、第２動作モードで常に動作し続ける液晶装置と比較して、光の利用効率を好適に改善することができる。
【００１８】
このように、本発明の液晶装置によれば、第１動作モードで常に動作し続ける液晶装置や第２動作モードで常に動作し続ける液晶装置と比較して、色割れを緩和しつつも光の利用効率を改善させることができるという実践上大変有用な効果を享受することができる。
【００１９】
本発明の液晶装置の一の態様では、前記切替手段により前記第１動作モードから前記第２動作モードへと切り替える前記液晶装置の周囲光の閾値を第１閾値とし、前記切替手段により前記第２動作モードから前記第１動作モードへと切り替える前記液晶装置の周囲光の閾値を第２閾値としたとき、前記第１閾値と前記第２閾値は同一である。
【００２０】
この態様によれば、色割れの発生に対して影響を与える液晶装置の外部の周囲光（言い換えれば、環境光であって、例えば太陽光等）の照度に応じて、第１動作モードから第２動作モードへの切り替え及び第２動作モードから第１動作モードへの切り替えを適宜行うことができる。従って、色割れを確実に緩和しつつも光の利用効率を改善させることができる。
【００２１】
より具体的には、例えば、周囲光の照度が相対的に大きい場合（つまり、周囲が相対的に明るい場合であって、例えば周囲光の照度が第１閾値以上（第２閾値以上）である場合）には、色割れは相対的に認識されにくくなる一方で、周囲光の照度が相対的に小さい場合（つまり、周囲が相対的に暗い場合であって、例えば周囲光の照度が第１閾値未満（第２閾値未満）である場合）には、色割れは相対的に認識されやすくなる。このため、周囲光の照度が第１閾値以上（第２閾値以上）である場合には、液晶表示部及び複数の光源の動作モードを、第２動作モードから第１動作モードへと切り替えることが好ましい。同様に、周囲光の照度が第１閾値未満（第２閾値未満）である場合には、液晶表示部及び複数の光源の動作モードを、第１動作モードから第２動作モードへと切り替えることが好ましい。
【００２２】
尚、第１閾値及び第２閾値は、周囲光の照度が色割れの認識度合いに対して与える影響を考慮しながら、実験的、経験的、数学的又は理論的に、若しくはシミュレーション等を用いて個別具体的に（例えば、液晶装置自身の輝度や、その他の各種表示特性等に応じて）より適切な所定の条件を指定することが好ましい。
【００２３】
本発明の液晶装置の他の態様では、前記切替手段により前記第１動作モードから前記第２動作モードへと切り替える前記液晶装置の周囲光の閾値を第１閾値とし、前記切替手段により前記第２動作モードから前記第１動作モードへと切り替える前記液晶装置の周囲光の閾値を第２閾値としたとき、前記第１閾値は前記第２閾値より小さい。
【００２４】
このように構成すれば、周囲光の照度が第１閾値以上であるか否か及び第２閾値以上であるか否かに応じて第１動作モードから第２動作モードへの切り替え及び第２動作モードから第１動作モードへの切り替えが行われるため、色割れを確実に緩和しつつも光の利用効率を改善させることができる。
【００２５】
加えて、仮に第１動作モードから第２動作モードへの切り替え時に参照される第１閾値と第２動作モードから第１動作モードへの切り替え時に参照される第２閾値とを同じ値に設定している場合には、周囲光の照度が第１閾値付近で変動している場合には、第１動作モードから第２動作モードへの切り替え及び第２動作モードから第１動作モードへの切り替えが頻繁に発生してしまう。このとき、動作モードの切り替えに伴って表示輝度差が生じかねないため、動作モードの切り替えがユーザによって認識される程度に目立ってしまいかねない。しかるに、この態様では、第１動作モードから第２動作モードへの切り替え時に参照される第１閾値と、第２動作モードから第１動作モードへの切り替え時に参照される第２閾値とが異なっている。このため、第１動作モードから第２動作モードへの切り替え及び第２動作モードから第１動作モードへの切り替えが頻繁に発生することはなくなるため、動作モードの切り替えが目立ってしまうことはない。
【００２６】
本発明の液晶装置の他の態様では、前記切替手段により前記第１動作モードから前記第２動作モードへと切り替える、前記液晶装置の周囲光を含んだ前記液晶装置の表示画像のコントラストの閾値を第３閾値とし、前記切替手段により前記第２動作モードから前記第１動作モードへと切り替える、前記液晶装置の周囲光を含んだ前記液晶装置の表示画像のコントラストの閾値を第４閾値としたとき、前記第３閾値と前記第４閾値は同一である。
【００２７】
この態様によれば、色割れの発生に対して影響を与える液晶表示部に表示される表示画像のコントラスト（特に、周囲光の影響を考慮した又は加味したコントラスト）に応じて、第１動作モードから第２動作モードへの切り替え及び第２動作モードから第１動作モードへの切り替えを適宜行うことができる。従って、色割れを確実に緩和しつつも光の利用効率を改善させることができる。
【００２８】
より具体的には、例えば、液晶表示部に表示される表示画像のコントラストが相対的に小さい場合（例えば、コントラストが第３閾値未満（第４閾値未満）である場合）には、色割れは相対的に認識されにくくなる一方で、液晶表示部に表示される表示画像のコントラストが相対的に大きい場合（例えば、コントラストが第３閾値以上（第４閾値以上）である場合）には、色割れは相対的に認識されやすくなる。このため、液晶表示部に表示される表示画像のコントラストが第３閾値未満（第４閾値未満）である場合には、液晶表示部及び複数の光源の動作モードを、第２動作モードから第１動作モードへと切り替えることが好ましい。同様に、液晶表示部に表示される表示画像のコントラストが第３閾値以上（第４閾値以上）である場合には、液晶表示部及び複数の光源の動作モードを、第１動作モードから第２動作モードへと切り替えることが好ましい。
【００２９】
尚、第３閾値及び第４閾値は、周囲光の照度を考慮したコントラストが色割れの認識度合いに対して与える影響を考慮しながら、実験的、経験的、数学的又は理論的に、若しくはシミュレーション等を用いて個別具体的に（例えば、周囲光の照度や、液晶装置自身の輝度や、その他の各種表示特性等に応じて）より適切な所定の条件を指定することが好ましい。
【００３０】
前記切替手段により前記第１動作モードから前記第２動作モードへと切り替える、前記液晶装置の周囲光を含んだ前記液晶装置の表示画像のコントラストの閾値を第３閾値とし、前記切替手段により前記第２動作モードから前記第１動作モードへと切り替える、前記液晶装置の周囲光を含んだ前記液晶装置の表示画像のコントラストの閾値を第４閾値としたとき、前記第３閾値は前記第４閾値より大きい。
【００３１】
このように構成すれば、液晶表示部に表示される表示画像のコントラストが第３閾値以上であるか否か及び第４閾値以上であるか否かに応じて第１動作モードから第２動作モードへの切り替え及び第２動作モードから第１動作モードへの切り替えが行われるため、色割れを確実に緩和しつつも光の利用効率を改善させることができる。
【００３２】
加えて、仮に第１動作モードから第２動作モードへの切り替え時に参照される第３閾値と第２動作モードから第１動作モードへの切り替え時に参照される第４閾値とを同じ値に設定している場合には、液晶表示部に表示される画像のコントラストが第４閾値付近で変動している場合には、第１動作モードから第２動作モードへの切り替え及び第２動作モードから第１動作モードへの切り替えが頻繁に発生してしまう。このとき、動作モードの切り替えに伴って表示輝度差が生じかねないため、動作モードの切り替えがユーザによって認識される程度に目立ってしまいかねない。しかるに、この構成では、第１動作モードから第２動作モードへの切り替え時に参照される第３閾値と、第２動作モードから第１動作モードへの切り替え時に参照される第４閾値とが異なっている。このため、第１動作モードから第２動作モードへの切り替え及び第２動作モードから第１動作モードへの切り替えが頻繁に発生することはなくなるため、動作モードの切り替えが目立ってしまうことはない。
【００３３】
本発明の液晶装置の他の態様では、前記第１動作モードにおいて、前記複数のフィールドの一つを用いて表示される色は、赤色（Ｒ）、緑色（Ｇ）及び青色（Ｂ）の少なくとも１つを含んでおり、前記第１動作モードにおいて、前記複数のフィールドの少なくとも二つを用いて表示される色は、シアン（Ｃ）、マゼンダ（Ｍ）及び黄色（Ｙ）の少なくとも１つを含む。
【００３４】
この態様によれば、色の原色とその補色を用いたフルカラー表示を行うことができる。
【００３５】
本発明の液晶装置の他の態様では、前記液晶装置の周囲光の照度及び前記液晶装置の周囲光を含んだ前記液晶表示部の表示画像のコントラストの少なくとも一方に応じて、前記第１動作モードにおける前記フィールドの駆動周波数を変更する変更手段を更に備える。
【００３６】
周囲光の照度が相対的に大きい又は液晶表示部の表示画像のコントラストが相対的に小さい場合には、フリッカは相対的に認識されにくくなる一方で、周囲光の照度が相対的に小さい又は液晶表示部の表示画像のコントラストが相対的に大きい場合には、フリッカは相対的に認識されやすくなる。このため、このように構成すれば、周囲光の照度又は液晶表示部の表示画像のコントラストに応じて、第１動作モードにおけるフィールドの駆動周波数（言い換えれば、所定期間あたりのフィールドの出現回数ないしはフィールドの周期）を変更することができる。このため、色割れを確実に緩和しつつも光の利用効率を改善させることができるという効果を享受しながら、更にフリッカが認識させないという効果をも享受することができる。
【００３７】
上述の如く変更手段を備える液晶装置の態様では、前記変更手段は、前記液晶装置の周囲光の照度が所定の第５閾値以上となる場合又は前記液晶装置の周囲光を含んだ前記液晶表示部の表示画像のコントラストが所定の第６閾値未満となる場合における前記駆動周波数を、前記液晶装置の周囲光の照度が前記第５閾値未満となる場合又は前記液晶装置の周囲光を含んだ前記液晶表示部の表示画像のコントラストが前記第６閾値以上となる場合における前記駆動周波数よりも小さくするように前記駆動周波数を変更するように構成してもよい。
【００３８】
このように構成すれば、フリッカが認識されやすい周囲光の照度が相対的に小さい場合（例えば、周囲光の照度が第５閾値未満である場合）又は液晶表示部の表示画像のコントラストが相対的に大きい場合（例えば、コントラストが第６閾値以上である場合）に、選択的に駆動周波数を大きくすることができる。従って、フリッカを認識させなくすることができる。他方で、フリッカが認識されにくい周囲光の照度が相対的に大きい（例えば、周囲光の照度が第５閾値以上である場合）場合又は液晶表示部の表示画像のコントラストが相対的に小さい場合（例えば、コントラストが第６閾値未満である場合）に、選択的に駆動周波数を小さくすることができる。このため、１つのフィールド当たりの期間を伸ばすことができるため、常に駆動周波数を大きくする構成と比較して、液晶表示部の表示画像の輝度を上げることができる。
【００３９】
本発明の液晶装置の他の態様では、前記液晶装置の周囲光の照度及び前記液晶装置の周囲光を含んだ前記液晶表示部の表示画像のコントラストの少なくとも一方に応じて、前記第１動作モードにおける前記フィールドの駆動周波数及び前記第２動作モードにおける前記フィールドの駆動周波数の夫々を変更する変更手段を更に備える。
【００４０】
周囲光の照度が相対的に大きい又は液晶表示部の表示画像のコントラストが相対的に小さい場合には、フリッカは相対的に認識されにくくなる一方で、周囲光の照度が相対的に小さい又は液晶表示部の表示画像のコントラストが相対的に大きい場合には、フリッカは相対的に認識されやすくなる。このため、このように構成すれば、周囲光の照度又は液晶表示部の表示画像のコントラストに応じて、第１動作モードにおけるフィールドの駆動周波数や第２動作モードにおけるフィールドの駆動周波数を変更することができる。このため、色割れを確実に緩和しつつも光の利用効率を改善させることができるという効果を享受しながら、更にフリッカが認識させないという効果をも享受することができる。
【００４１】
上述の如く変更手段を備える液晶装置の態様では、前記変更手段は、(i)前記第１動作モードでの動作時には、前記液晶装置の周囲光の照度が所定の第５閾値以上となる場合又は前記液晶装置の周囲光を含んだ前記液晶表示部の表示画像のコントラストが所定の第６閾値未満となる場合における前記駆動周波数を、前記液晶装置の周囲光の照度が前記第５閾値未満となる場合又は前記液晶装置の周囲光を含んだ前記液晶表示部の表示画像のコントラストが前記第６閾値以上となる場合における前記駆動周波数よりも小さくするように前記駆動周波数を変更し、(ii)前記第２動作モードでの動作時には、前記液晶装置の周囲光の照度が所定の第７閾値以上となる場合又は前記液晶装置の周囲光を含んだ前記液晶表示部の表示画像のコントラストが所定の第８閾値未満となる場合における前記駆動周波数を、前記液晶装置の周囲光の照度が前記第７閾値未満となる場合又は前記液晶装置の周囲光を含んだ前記液晶表示部の表示画像のコントラストが前記第８閾値以上となる場合における前記駆動周波数よりも小さくするように前記駆動周波数を変更するように構成してもよい。
【００４２】
このように構成すれば、まず色割れが認識されにくい状況下での動作モードである第１動作モードでの動作時には、周囲光の照度が相対的に小さい場合（例えば、周囲光の照度が第５閾値未満である場合）又は液晶表示部の表示画像のコントラストが相対的に大きい場合（例えば、コントラストが第６閾値以上である場合）には、選択的に駆動周波数を大きくすることができる。これは、色割れが認識されにくい状況ではあるものの、周囲光の照度が相対的に大きい場合（例えば、周囲光の照度が第５閾値以上である場合）又は液晶表示部の表示画像のコントラストが相対的に小さい場合（例えば、コントラストが第６閾値未満である場合）と比較して色割れが認識されやすいことに変わりはないため、色割れの確実な緩和を目的としてなされている。
【００４３】
一方で、周囲光の照度が相対的に大きい場合（例えば、周囲光の照度が第５閾値以上である場合）又は液晶表示部の表示画像のコントラストが相対的に小さい場合（例えば、コントラストが第６閾値未満である場合）には、フリッカ及び色割れのいずれもが認識されにくくなるため、選択的に駆動周波数を小さくすることができる。このため、１つのフィールド当たりの期間を伸ばすことができるため、常に駆動周波数を大きくする構成と比較して、液晶表示部に表示される画像の輝度を上げることができる。
【００４４】
他方で、第２動作モードでの動作時には、周囲光の照度が相対的に小さい場合（例えば、周囲光の照度が第７閾値未満である場合）又は液晶表示部の表示画像のコントラストが相対的に大きい場合（例えば、コントラストが第８閾値以上である場合）には、フリッカが認識されやすい。このため、この場合には、選択的に駆動周波数を大きくすることで、フリッカを認識させなくすることができる。
【００４５】
一方で、周囲光の照度が相対的に大きい場合（例えば、周囲光の照度が第７閾値以上である場合）又は液晶表示部の表示画像のコントラストが相対的に小さい場合（例えば、コントラストが第８閾値未満である場合）には、フリッカが視認されにくくなるため、選択的に駆動周波数を小さくすることができる。このため、１つのフィールド当たりの期間を伸ばすことができるため、常に駆動周波数を大きくする構成と比較して、液晶表示部に表示される画像の輝度を上げることができる。
【００４６】
（電子機器）
上記課題を解決するために、本発明の電子機器は、上述した本発明の液晶装置（但し、その各種態様を含む）を備える。
【００４７】
本発明の電子機器によれば、上述した本発明の液晶装置（或いは、その各種態様）備えているため、上述した本発明の液晶装置が享受する各種効果と同様の効果を享受することができる。つまり、上述した本発明の液晶装置が享受する各種効果と同様の効果を享受することができる投射型表示装置（例えば、プロジェクタやヘッドアップディスプレイ等）や直視型表示装置（例えば、テレビ、携帯電話、電子手帳、携帯オーディオプレーヤ、ワードプロセッサ、デジタルカメラ、ビューファインダ型又はモニタ直視型のビデオレコーダ、ワークステーション、テレビ電話、ＰＯＳ端末、タッチパネル等）などの各種電子機器を実現することができる。
【００４８】
本発明の作用及び他の利得は次に説明する実施の形態から更に明らかにされよう。
【図面の簡単な説明】
【００４９】
【図１】本実施形態に係る液晶装置の基本構成を概念的に示すブロック図である。
【図２】液晶パネルの詳細な構成を概念的に示すブロック図である。
【図３】画素の具体的な構成を概念的に示す回路図である。
【図４】本実施形態に係る液晶装置の動作時に用いられるフィールド毎のバックライトの発光態様及びそのときの表示色を示すタイミングチャートである。
【図５】切替回路による切替動作を概念的に示すグラフである。
【図６】第１変形動作例における、切替回路による切替動作を概念的に示すグラフである。
【図７】第２変形動作例における、切替回路による切替動作を概念的に示すグラフである。
【図８】第２変形動作例における、切替回路による切替動作を概念的に示すグラフである。
【図９】上述の液晶装置が適用されたヘッドアップディスプレイ（ＨＵＤ：Head Up Display）の構成を示す模式図である。
【発明を実施するための形態】
【００５０】
以下、図面を参照しながら、本発明に係る液晶装置の実施形態を説明する。
【００５１】
（１）基本構成
初めに、図１を参照して、本実施形態に係る液晶装置１の基本構成について説明する。ここに、図１は、本実施形態に係る液晶装置１の基本構成を概念的に示すブロック図である。
【００５２】
図１に示すように、本実施形態に係る液晶装置１は、本発明における「液晶表示部」の一具体例を構成する液晶パネル１０と、本発明における「光源」の一具体例を構成するバックライト（照明部）２０と、制御回路部３０とを備えている。
【００５３】
尚、本実施形態に係る液晶装置１は、１フレーム期間を複数のフィールド期間に分割し、１フレーム期間内においてバックライト２０から複数の色の光を時間順次に射出すると共に、各色の光の射出タイミングに合わせて１フィールド期間毎に液晶パネル１０を駆動するフィールドシーケンシャル方式のカラー液晶装置である。
【００５４】
液晶パネル１０は、複数の画素１７（図２参照）が平面視マトリクス状に配列形成された画像表示領域１４ａを有しており、画像表示領域１４ａの辺縁には、走査線駆動回路１１とデータ線駆動回路１２とが実装されている。また、液晶パネル１０には、液晶パネル１０の外部から液晶パネル１０内に入射する周囲光（言い換えれば、環境光ないしは外光）の照度を検出する周囲光照度検出回路１３が設けられている。
【００５５】
バックライト２０には、赤色（Ｒ）、緑色（Ｇ）及び青色（Ｂ）の各色に対応する発光素子２１Ｒ、２１Ｇ及び２１Ｂが設けられている。
【００５６】
制御回路部３０には、本発明における「第１制御手段」及び「第２制御手段」の一具体例を構成する表示制御回路３１と、本発明における「第１制御手段」及び「第２制御手段」の一具体例を構成する発光制御回路３２と、同期信号発生回路３３と、本発明における「切替手段」の一具体例を構成する切替回路３４が設けられている。
【００５７】
表示制御回路３１は、赤色（Ｒ）、緑色（Ｇ）及び青色（Ｂ）の各色に対応する色信号を外部から受け取って、それらに信号処理を施し、処理後の色信号を液晶パネル１０内のデータ線駆動回路１２へ伝送する。また、表示制御回路３１は、走査線駆動回路１１を駆動するための信号を走査線駆動回路１１へ伝送する。
【００５８】
発光制御回路３２は、バックライト２０に設けられた発光素子２１Ｒ、２１Ｇ及び２１Ｂを選択的に発光させ、液晶パネル１０に供給するバックライト光を制御する。同期信号発生回路３３は所定の周期の同期信号を発生する。表示制御回路３１は、同期信号発生回路３３から出力される同期信号に基づいて、信号処理後の色信号を出力する。同様に、発光制御回路３２は、同期信号発生回路３３から出力される同期信号に基づいて、バックライト２０を制御するための信号を出力する。つまり、表示制御回路３１と発光制御回路３２は、同期信号発生回路３３から出力される同期信号に基づいて、それぞれの出力信号を互いに同期させた状態で出力するようになっている。
【００５９】
切替回路３４は、周囲光照度検出回路１３の検出結果に応じて、表示制御回路３１と発光制御回路３２の動作モードを切り替える。尚、切替回路３４の動作については、後に詳述する（図４等参照）。
【００６０】
続いて、図２を参照して、上述した液晶パネル１０のより詳細な構成について説明を進める。ここに、図２は、液晶パネル１０の詳細な構成を概念的に示すブロック図である。
【００６１】
図２に示すように、走査線駆動回路１１は、液晶パネル１０の走査線１５に対して走査信号Ｇ１、Ｇ２、Ｇ３、・・・、Ｇｎを順次排他的に出力する。また、データ線駆動回路１２は、液晶パネル１０のデータ線１６に対してデータ信号ｄ１、ｄ２、ｄ３、・・・、ｄｍを出力する。
【００６２】
走査線１５とデータ線１６との交点には、画素１７が形成されている。より具体的には、液晶パネル１０には、ｎ本の走査線１５が、図２において横方向に延在して形成され、ｍ本のデータ線１６が縦方向に沿って延在して形成されている。そして、画素１４ｃは、ｎ本の走査線１５とｍ本のデータ線１６との各交差に対応して設けられて、マトリクス状に配列されている。
【００６３】
ここで、図３を参照して、画素１７の具体的な構成について説明する。ここに、図３は、画素１７の具体的な構成を概念的に示す回路図である。
【００６４】
図３に示すように、画素１７は、主に、トランジスタ１７ａと、画素電極１７１ｂ、液晶１７２ｂ及び共通電極１７３ｂから構成される液晶容量１７ｂと、蓄積容量１７ｃとを備えている。図３に示す構成では、スイッチング素子としてのトランジスタ１７ａのゲートが走査線１５に、ソースがデータ線１６に、ドレインが液晶容量１７ｂの画素電極１７１ｂに、それぞれ接続される。そして、画素電極１７１ｂと共通電極１７３ｂとの間に、電気光学材料たる液晶１７２ｂが挟持されて液晶層が形成されている。共通電極１７３ｂには共通電極電圧Ｖｃｏｍが印加される。更に、画素電極１７１ｂと共通電極１７３ｂとの間においては蓄積容量１７ｃが形成されて、液晶層を挟む電極と共に電荷を蓄積する。
【００６５】
各走査線１５には前述した走査線駆動回路１１から夫々走査信号Ｇ１、Ｇ２、…、Ｇｎが供給される。各走査信号によって、各ラインの画素を構成するトランジスタ１７ａが導通状態となり、これにより、前述したデータ線駆動回路１２から各データ線１６に供給されたデータ信号ｄ１、ｄ２、…、ｄｍが供給されることとなる。そして、書き込まれた画素電極１７１ｂと共通電極１７３ｂとの電位差に応じて液晶１７２ｂの分子集合の配向状態が変化して、光の変調が行われ、階調表示がなされる。
【００６６】
（２）動作原理
続いて、図４を参照して、本実施形態に係る液晶装置１の動作原理について説明する。ここに、図４は、本実施形態に係る液晶装置１の動作時に用いられるフィールド毎のバックライト２０の発光態様及びそのときの表示色を示すタイミングチャートである。
【００６７】
図４（ａ）及び図４（ｂ）に示すように、本実施形態に係る液晶装置１は、切替回路３４の制御下で２つの動作モードを適宜切り替えながら動作する。以下、２つの動作モードについて説明する。
【００６８】
まず、図４（ａ）に示すように、第１の動作モードでは、１フレーム期間は、バックライト２０が備える発光素子２１Ｒ、２１Ｇ及び２１Ｂが発する光の色に対応する複数のフィールド期間に分割される。尚、図４（ａ）では、説明の簡略化のために、１フレーム期間が、バックライト２０が備える発光素子２１Ｒ及び２１Ｇが発する光の色に対応する複数のフィールド期間に分割される例について説明する。つまり、１フレーム期間が、発光素子２１Ｒが赤色光を発する期間であるＲフィールド及び発光素子２１Ｇが緑色光を発する期間であるＧフィールドに分割される例について説明する。
【００６９】
第１動作モードでは、Ｒフィールド期間中に発光素子２１Ｒによって赤色光が発せられ且つＧフィールド期間中に発光素子２１Ｂによって緑色光が発せられなければ、赤色の画像が表示される。このとき、液晶パネル１０は、１フレームの画像を示す色信号のうち赤色に対応する色信号による表示駆動が行われるように表示制御回路３１によって制御される。同様に、Ｒフィールド期間中に発光素子２１Ｒによって赤色光が発せられず且つＧフィールド期間中に発光素子２１Ｂによって緑色光が発せられれば、緑色の画像が表示される。このとき、液晶パネル１０は、１フレームの画像を示す色信号のうち緑色に対応する色信号による表示駆動が行われるように表示制御回路３１によって制御される。同様に、Ｒフィールド期間中に発光素子２１Ｒによって赤色光が発せられ且つＧフィールド期間中に発光素子２１Ｂによって緑色光が発せられれば、黄色の画像が表示される。このとき、液晶パネル１０は、１フレームの画像を示す色信号のうち赤色に対応する色信号及び緑色に対応する色信号による表示駆動が行われるように表示制御回路３１によって制御される。同様に、Ｒフィールド期間中に発光素子２１Ｒによって赤色光が発せられず且つＧフィールド期間中に発光素子２１Ｂによって緑色光が発せられなければ、黒色の画像が表示される。このとき、液晶パネル１０は、黒表示が行われるように表示制御回路３１によって制御される。つまり、第１の動作モードでは、赤色の画像及び緑色の画像は一つのフィールドを用いて表示される一方で、黄色の画像は二つのフィールドを用いて表示される。言い換えれば、第１の動作モードは、複数のフィールドのうちの一つを用いて表示される色の画像に加えて、複数のフィールドのうちの二つ又は三つ以上を用いて表示される色の画像をも表示する動作モードである。
【００７０】
他方で、図４（ｂ）に示すように、第２の動作モードでは、１フレーム期間は、バックライト２０が備える発光素子２１Ｒ、２１Ｇ及び２１Ｂが発する光の色に対応する複数のフィールド期間並びにバックライト２０が備える発光素子２１Ｒ、２１Ｇ及び２１Ｂの少なくとも２つが発する光を混色することで得られる混合色に対応する一又は複数のフィールド期間に分割される。尚、図４（ｂ）では、説明の簡略化のために、１フレーム期間が、バックライト２０が備える発光素子２１Ｒ及び２１Ｇが発する光の色に対応する複数のフィールド期間、並びに発光素子２１Ｒが発する光と発光素子２１Ｇが発する光とを混色することで得られる黄色に対応するフィールド期間に分割される例について説明する。つまり、１フレーム期間が、発光素子２１Ｒが赤色光を発する期間であるＲフィールド及び発光素子２１Ｇが緑色光を発する期間であるＧフィールド、並びに発光素子２１Ｒが赤色光を発すると共に発光素子２１Ｇが緑色光を発する期間であるＹフィールドに分割される例について説明する。
【００７１】
第２動作モードでは、Ｒフィールド期間中に発光素子２１Ｒによって赤色光が発せられ、Ｇフィールド期間中に発光素子２１Ｂによって緑色光が発せられず、且つＹフィールド期間中に発光素子２１Ｒ及び２１Ｂによって赤色光及び緑色光が発せられなければ、赤色の画像が表示される。このとき、液晶パネル１０は、１フレームの画像を示す色信号のうち赤色に対応する色信号による表示駆動が行われるように表示制御回路３１によって制御される。同様に、Ｒフィールド期間中に発光素子２１Ｒによって赤色光が発せられず、Ｇフィールド期間中に発光素子２１Ｂによって緑色光が発せられ、且つＹフィールド期間中に発光素子２１Ｒ及び２１Ｂによって赤色光及び緑色光が発せられなければ、緑色の画像が表示される。このとき、液晶パネル１０は、１フレームの画像を示す色信号のうち緑色に対応する色信号による表示駆動が行われるように表示制御回路３１によって制御される。同様に、Ｒフィールド期間中に発光素子２１Ｒによって赤色光が発せられず、Ｇフィールド期間中に発光素子２１Ｂによって緑色光が発せられず、且つＹフィールド期間中に発光素子２１Ｒ及び２１Ｂによって赤色光及び緑色光が発せられれば、黄色の画像が表示される。このとき、液晶パネル１０は、１フレームの画像を示す色信号のうち赤色に対応する色信号及び緑色に対応する色信号による表示駆動が行われるように表示制御回路３１によって制御される。同様に、Ｒフィールド期間中に発光素子２１Ｒによって赤色光が発せられず、Ｇフィールド期間中に発光素子２１Ｂによって緑色光が発せられず、且つＹフィールド期間中に発光素子２１Ｒ及び２１Ｂによって赤色光及び緑色光が発せられなければ、黒色の画像が表示される。このとき、液晶パネル１０は、黒表示が行われるように表示制御回路３１によって制御される。つまり、第２の動作モードでは、赤色の画像、緑色の画像及び黄色の画像の夫々は、一つのフィールドを用いて表示される。言い換えれば、第２の動作モードは、複数のフィールドのうちの一つを用いて表示される色の画像のみを表示する動作モードである。
【００７２】
切替回路３４は、周囲光照度検出回路１３の検出結果に応じて、第１動作モードでの動作を行うか又は第２動作での動作を行うかを決定すると共に、決定された動作モードでの動作が行われるように、決定された動作モードでの動作を行わせるための制御信号を表示制御回路３１や発光制御回路３２に対して出力する。表示制御回路３１や発光制御回路３２は、切替回路３４によって決定された動作モードで動作するように液晶パネル１０やバックライト２０を制御する。
【００７３】
ここで、切替回路３４は、周囲光照度検出回路１３によって検出された周囲光の照度が所定の閾値以上であるか否かに応じて、第１動作モードでの動作を行うか又は第２動作での動作を行うかを決定することが好ましい。以下、図５を参照しながら、切替回路３４による切替動作について説明する。ここに、図５は、切替回路３４による切替動作を概念的に示すグラフである。
【００７４】
図５（ａ）に示すように、切替回路３４は、周囲光の照度が所定の閾値Ｌ１以上である場合には、第１動作モードでの動作を行うことを示す制御信号を表示制御回路３１や発光制御回路３２に対して出力することが好ましい。このとき、液晶装置１が既に第１動作モードでの動作を行っている場合には、表示制御回路３１や発光制御回路３２は、そのまま第１動作モードでの動作を継続するように液晶パネル１０及びバックライト２０を制御する。他方、液晶装置１が第２動作モードでの動作を行っている場合には、表示制御回路３１や発光制御回路３２は、液晶パネル１０及びバックライト２０の動作モードを、第２動作モードから第１動作モードに切り替えると共に第１動作モードでの動作を継続するように液晶パネル１０及びバックライト２０を制御する。
【００７５】
一方、図５（ａ）に示すように、切替回路３４は、周囲光の照度が所定の閾値Ｌ１未満である場合には、第２動作モードでの動作を行うことを示す制御信号を表示制御回路３１や発光制御回路３２に対して出力することが好ましい。このとき、液晶装置１が既に第２動作モードでの動作を行っている場合には、表示制御回路３１や発光制御回路３２は、そのまま第２動作モードでの動作を継続するように液晶パネル１０及びバックライト２０を制御する。他方、液晶装置１が第１動作モードでの動作を行っている場合には、表示制御回路３１や発光制御回路３２は、液晶パネル１０及びバックライト２０の動作モードを、第１動作モードから第２動作モードに切り替えると共に第２動作モードでの動作を継続するように液晶パネル１０及びバックライト２０を制御する。
【００７６】
或いは、切替回路３４は、液晶パネル１０に表示される画像のコントラストであって且つ周囲光照度検出回路１３によって検出された周囲光を含んだコントラストが所定の閾値以上であるか否かに応じて、第１動作モードでの動作を行うか又は第２動作での動作を行うかを決定してもよい。
【００７７】
具体的には、図５（ｂ）に示すように、切替回路３４は、コントラストが所定の閾値Ｃ１未満である場合には、第１動作モードでの動作を行うことを示す制御信号を表示制御回路３１や発光制御回路３２に対して出力することが好ましい。このとき、液晶装置１が既に第１動作モードでの動作を行っている場合には、表示制御回路３１や発光制御回路３２は、そのまま第１動作モードでの動作を継続するように液晶パネル１０及びバックライト２０を制御する。他方、液晶装置１が第２動作モードでの動作を行っている場合には、表示制御回路３１や発光制御回路３２は、液晶パネル１０及びバックライト２０の動作モードを、第２動作モードから第１動作モードに切り替えると共に第１動作モードでの動作を継続するように液晶パネル１０及びバックライト２０を制御する。
【００７８】
一方、図５（ｂ）に示すように、切替回路３４は、コントラストが所定の閾値Ｃ１以上である場合には、第２動作モードでの動作を行うことを示す制御信号を表示制御回路３１や発光制御回路３２に対して出力することが好ましい。このとき、液晶装置１が既に第２動作モードでの動作を行っている場合には、表示制御回路３１や発光制御回路３２は、そのまま第２動作モードでの動作を継続するように液晶パネル１０及びバックライト２０を制御する。他方、液晶装置１が第１動作モードでの動作を行っている場合には、表示制御回路３１や発光制御回路３２は、液晶パネル１０及びバックライト２０の動作モードを、第１動作モードから第２動作モードに切り替えると共に第２動作モードでの動作を継続するように液晶パネル１０及びバックライト２０を制御する。
【００７９】
ここで、フィールドシーケンシャル方式の液晶装置１において問題となる色割れは、周囲光の照度が相対的に小さい場合（つまり、周囲が相対的に暗い場合）やコントラストが相対的に大きい場合に視認されやすくなる一方で、周囲光の照度が相対的に大きい場合（つまり、周囲が相対的に明るい場合）やコントラストが相対的に小さい場合に視認されにくくなるという特性を有している。
【００８０】
本実施形態に係る液晶装置１は、このような色割れの特性を考慮して、色割れが認識されやすい周囲光の照度が相対的に小さい場合（つまり、周囲光の照度が所定の閾値Ｌ１未満である場合）やコントラストが相対的に大きい場合（つまり、コントラストが所定の閾値Ｃ１以上である場合）には、第２動作モードで動作する。第２動作モードでは、混合色に対応するフィールドが用いられるため、色割れが相対的には緩和される。このため、本実施形態に係る液晶装置１によれば、第１動作モードで常に動作し続ける液晶装置と比較して、色割れを好適に緩和することができる。
【００８１】
一方で、本実施形態に係る液晶装置１は、色割れが認識されにくい周囲光の照度が相対的に大きい場合（つまり、周囲光の照度が所定の閾値Ｌ１以上である場合）やコントラストが相対的に小さい場合（つまり、コントラストが所定の閾値Ｃ１未満である場合）には、第１動作モードで動作する。ここで、第２動作モードでは３つのフィールド（つまり、上述のＲフィールド、Ｇフィールド及びＹフィールド）を用いて４色（つまり、赤色、緑色、黄色及び黒色）を表示可能である一方で、第１動作モードでは２つのフィールド（つまり、上述のＲフィールド及びＧフィールド）を用いて４色（つまり、赤色、緑色、黄色及び黒色）を表示することができる。つまり、第１動作モードでは、二つのフィールドを用いて表示される色の画像を表示しているため、光の利用効率を改善することができる。このため、本実施形態に係る液晶装置１によれば、第２動作モードで常に動作し続ける液晶装置と比較して、光の利用効率を好適に改善することができる。
【００８２】
このように、本実施形態に係る液晶装置１によれば、第１動作モードで常に動作し続ける液晶装置や第２動作モードで常に動作し続ける液晶装置と比較して、色割れを緩和しつつも光の利用効率を改善させることができる。
【００８３】
尚、上述の説明では、第１動作モードではＲフィールド及びＧフィールドを用い且つ第２動作モードではＲフィールド、Ｇフィールド及びＹフィールドを用いる例について説明している。しかしながら、この例に限らず任意の色に対応するフィールドを用いてもよいことは言うまでもない。例えば、第１動作モードではＲフィールド、Ｇフィールド及び発光素子２１Ｂが青色光を発する期間であるＢフィールドを用い且つ第２動作モードではＲフィールド、Ｇフィールド及びＢフィールドに加えて、Ｙフィールド、発光素子２１Ｒが赤色光を発すると共に発光素子２１Ｂが青色光を発する期間であるＭフィールド及び発光素子２１Ｇが緑色光を発すると共に発光素子２１Ｂが青色光を発する期間であるＣフィールドを用いてもよい。このように構成すれば、上述した各種効果を好適に享受しつつ、フルカラー表示を実現することができる。
【００８４】
また、上述の説明では、第２動作モードでは、混合色に対応するフィールドをただ１つだけ用いる例について説明している。しかしながら、混合色に対応するフィールドを複数用いてもよいことは言うまでもない。例えば、第１動作モードではＲフィールド及びＧフィールドを用い、第２動作モードではＲフィールド、Ｇフィールド及びＹフィールドを用い、他の第２動作モードではＲフィールド、Ｇフィールド、Ｙフィールド及び琥珀色を表示するＡｍフィールドを用いてもよい。混合色に対応するフィールドを複数用いる場合であっても、それらの動作モードの切替時には、上述したように色割れが認識されないような適切な閾値を設定することが好ましい。
【００８５】
また、ＯＣＢ（Optically Compensated Birefringence）モードの液晶装置を上述した液晶装置１として利用する場合には、各フィールドの最後に黒表示を行うように構成してもよい。これにより、黒表示以外の期間（つまり、点灯期間）における輝度を最大化することができる。もちろん、ＯＣＢモード以外の液晶装置を上述した液晶装置１として利用する場合であっても、各フィールドの最後に黒表示を行うように構成してもよい。
【００８６】
（３）変形動作例
続いて、本実施形態に係る液晶装置１の変形動作例について説明する。
【００８７】
（３−１）第１変形動作例
初めに、図６を参照して、本実施形態に係る液晶装置１の第１変形動作例について説明する。ここに、図６は、第１変形動作例における、切替回路３４による切替動作を概念的に示すグラフである。
【００８８】
図６（ａ）に示すように、第１変形動作例では、液晶装置１が第１動作モードで動作しているときには、第１動作モードから第２動作モードへの切替動作は、周囲光の照度が所定の閾値Ｌ２未満になるか否かに基づいて行われる。具体的には、液晶装置１が第１動作モードで動作しているときには、周囲光の照度が所定の閾値Ｌ２より大きい場合には第１動作モードでの動作が継続される一方で、周囲光の照度が所定の閾値Ｌ２以下となった場合には第１動作モードから第２動作モードへの切り替えが行われる。
【００８９】
一方で、図６（ａ）に示すように、第１変形動作例では、液晶装置１が第２動作モードで動作しているときには、第２動作モードから第１動作モードへの切替動作は、周囲光の照度が所定の閾値Ｌ２より大きい所定の閾値Ｌ３以上になるか否かに基づいて行われる。具体的には、液晶装置１が第２動作モードで動作しているときには、周囲光の照度が所定の閾値Ｌ３未満である場合には第２動作モードでの動作が継続される一方で、周囲光の照度が所定の閾値Ｌ３以上となった場合には第２動作モードから第１動作モードへの切り替えが行われる。
【００９０】
或いは、図６（ｂ）に示すように、第１変形動作例では、液晶装置１が第１動作モードで動作しているときには、第１動作モードから第２動作モードへの切替動作は、周囲光を考慮したコントラストが所定の閾値Ｃ３以上になるか否かに基づいて行われる。具体的には、液晶装置１が第１動作モードで動作しているときには、コントラストが所定の閾値Ｃ３未満である場合には第１動作モードでの動作が継続される一方で、コントラストが所定の閾値Ｃ３以上となった場合には第１動作モードから第２動作モードへの切り替えが行われる。
【００９１】
一方で、図６（ｂ）に示すように、第１変形動作例では、液晶装置１が第２動作モードで動作しているときには、第２動作モードから第１動作モードへの切替動作は、コントラストが所定の閾値Ｃ３より小さい所定の閾値Ｃ２以下になるか否かに基づいて行われる。具体的には、液晶装置１が第２動作モードで動作しているときには、コントラストが所定の閾値Ｃ２より大きい場合には第２動作モードでの動作が継続される一方で、コントラストが所定の閾値Ｃ２以下となった場合には第２動作モードから第１動作モードへの切り替えが行われる。
【００９２】
ここで、仮に第１動作モードから第２動作モードへの切り替え時に参照される閾値と第２動作モードから第１動作モードへの切り替え時に参照される閾値とを同じ閾値Ｌ１（或いは、Ｃ１）に設定している場合には、周囲光の照度が閾値Ｌ１付近で変動している場合（或いは、コントラストが閾値Ｃ１付近で変動している場合）には、第１動作モードから第２動作モードへの切り替え及び第２動作モードから第１動作モードへの切り替えが頻繁に発生してしまう。このとき、動作モードの切り替えに伴って表示輝度差が生じかねないため、動作モードの切り替えがユーザによって認識される程度に目立ってしまいかねない。しかるに、この構成では、第１動作モードから第２動作モードへの切り替え時に参照される閾値Ｌ２（Ｃ３）と、第２動作モードから第１動作モードへの切り替え時に参照される閾値Ｌ３（Ｃ２）とがＬ２＜Ｌ３（Ｃ２＜Ｃ３）となっている。このため、第１動作モードから第２動作モードへの切り替え及び第２動作モードから第１動作モードへの切り替えが頻繁に発生することはなくなり、動作モードの切り替えを目立なくすることができる。
【００９３】
（３−２）第２変形例
続いて、図７及び図８を参照して、本実施形態に係る液晶装置１の第２変形動作例について説明する。ここに、図７及び図８は、夫々、第２変形動作例における、切替回路３４による切替動作を概念的に示すグラフである。
【００９４】
図７（ａ）及び図７（ｂ）に示すように、第２変形動作例では、周囲光の照度に応じてフィールド駆動周波数が変更される。
【００９５】
具体的には、第２動作モードでの動作時には、周囲光の照度が所定の閾値Ｌ４以上である場合のフィールド駆動周波数は、周囲光の照度が所定の閾値Ｌ４未満である場合のフィールド駆動周波数よりも小さくなっている。同様に、第１動作モードでの動作時には、周囲光の照度が所定の閾値Ｌ５以上である場合のフィールド駆動周波数は、周囲光の照度が所定の閾値Ｌ５未満である場合のフィールド駆動周波数よりも小さくなっている。
【００９６】
尚、図７（ａ）及び図７（ｂ）では、周囲光の照度が所定の閾値Ｌ４以上である場合のフィールド駆動周波数が、周囲光の照度が所定の閾値Ｌ４未満である場合のフィールド駆動周波数の半分になる例について説明している。同様に、図７（ａ）及び図７（ｂ）では、周囲光の照度が所定の閾値Ｌ５以上である場合のフィールド駆動周波数が、周囲光の照度が所定の閾値Ｌ５未満である場合のフィールド駆動周波数の半分になる例について説明している。しかしながら、この例に限定されないことは言うまでもない。
【００９７】
或いは、図８（ａ）及び図８（ｂ）に示すように、第２変形動作例では、周囲光を含んだコントラストに応じてフィールド駆動周波数が変更される。
【００９８】
具体的には、第１動作モードでの動作時には、コントラストが所定の閾値Ｃ４未満である場合のフィールド駆動周波数は、コントラストが所定の閾値Ｃ４以上である場合のフィールド駆動周波数よりも小さくなっている。同様に、第２動作モードでの動作時には、コントラストが所定の閾値Ｃ５未満である場合のフィールド駆動周波数は、コントラストが所定の閾値Ｃ５以上である場合のフィールド駆動周波数よりも小さくなっている。
【００９９】
尚、図８（ａ）及び図８（ｂ）では、コントラストが所定の閾値Ｃ４未満である場合のフィールド駆動周波数が、コントラストが所定の閾値Ｃ４以上である場合のフィールド駆動周波数の半分になる例について説明している。同様に、図８（ａ）及び図８（ｂ）では、コントラストが所定の閾値Ｃ５未満である場合のフィールド駆動周波数が、コントラストが所定の閾値Ｃ５以上である場合のフィールド駆動周波数の半分になる例について説明している。しかしながら、この例に限定されないことは言うまでもない。
【０１００】
このような第２変形動作例によれば、まず色割れが認識されにくい状況下での動作モードである第１動作モードでの動作時には、周囲光の照度が相対的に小さい場合（例えば、周囲光の照度が閾値Ｌ５未満である場合）又はコントラストが相対的に大きい場合（例えば、コントラストが閾値Ｃ４以上である場合）には、選択的に駆動周波数を大きくすることができる。これは、色割れが認識されにくい状況ではあるものの、周囲光の照度が相対的に大きい場合（例えば、周囲光の照度が閾値Ｌ５以上である場合）又はコントラストが相対的に小さい場合（例えば、コントラストが閾値Ｃ４未満である場合）と比較して色割れが相対的には認識されやすいことに変わりはないため、色割れの確実な緩和を目的としてなされている。
【０１０１】
一方で、周囲光の照度が相対的に大きい場合（例えば、周囲光の照度がＬ５閾値以上である場合）又はコントラストが相対的に小さい場合（例えば、コントラストが閾値Ｃ４未満である場合）には、色割れが認識されにくくなるため、選択的に駆動周波数を小さくすることができる。このため、１つのフィールド当たりの期間を伸ばすことができ、常に駆動周波数を大きくする構成と比較して、液晶パネル１０に表示される画像の輝度を上げることができる。
【０１０２】
第２動作モードでの動作時には、基本的に色割れが発生しないため、色割れの対策として周囲光の照度に応じてフィールド駆動周波数を変更する必要がなく、第１動作モードのみフィールド駆動周波数を変更する構成とすることができる。
【０１０３】
しかし、第２動作モードにおいてフィールド駆動周波数を変更する場合には、周囲光の照度が相対的に小さい場合（例えば、周囲光の照度が閾値Ｌ４未満である場合）又はコントラストが相対的に大きい場合（例えば、コントラストが閾値Ｃ５以上である場合）には、フリッカが認識されやすい。このため、この場合には、選択的に駆動周波数を大きくすることで、フリッカを認識させなくすることができる。
【０１０４】
一方で、周囲光の照度が相対的に大きい場合（例えば、周囲光の照度が閾値Ｌ４以上である場合）又はコントラストが相対的に小さい場合（例えば、コントラストが閾値Ｃ５未満である場合）には、フリッカが視認されにくくなるため、選択的に駆動周波数を小さくすることができる。このため、１つのフィールド当たりの期間を伸ばすことができるため、常に駆動周波数を大きくする構成と比較して、液晶表示部に表示される画像の輝度を上げることができる。
【０１０５】
（４）電子機器
続いて、図９を参照しながら、上述の液晶装置１を具備してなる電子機器の例を説明する。ここに、図９は、上述の液晶装置１が適用されたヘッドアップディスプレイ（ＨＵＤ：Head Up Display）２００の構成を示す模式図である。
【０１０６】
図８において、ヘッドアップディスプレイ２００は、液晶装置１、凹面ミラー２１０及びフロントガラス２２０を備えて構成されている。尚、本実施形態では、自動車のフロントガラス２２０の一部を、ヘッドアップディスプレイ２００の一部として用いている。
【０１０７】
この電子機器においても、上述した液晶装置１を含んでいるため、上述した各種効果を好適に享受することができる。
【０１０８】
尚、図９を参照して説明した電子機器の他にも、液晶テレビ、ビューファインダ型又はモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置や、液晶プロジェクタ等の投射型の表示装置等が挙げられる。そして、これらの各種電子機器に適用可能なのは言うまでもない。
【０１０９】
また、特に、周囲光の影響を受け易い環境下で用いる装置（例えば、上述したヘッドアップディスプレイ２００や、プロンプターや、スピードメーターや、タコメーター等）に対して本実施形態に係る液晶装置１を適用することが好ましい。
【０１１０】
本発明は、上述した実施例に限られるものではなく、請求の範囲及び明細書全体から読み取れる発明の要旨或いは思想に反しない範囲で適宜変更可能であり、そのような変更を伴なう液晶装置及び電子機器もまた本発明の技術的範囲に含まれるものである。
【符号の説明】
【０１１１】
１…液晶装置、１０…液晶パネル、１３…周囲光検出回路、２０…バックライト、２１Ｒ…発光素子、２１Ｇ…発光素子、２１Ｂ…発光素子、３１…表示制御回路、３２…発光制御回路、３４…切替回路
【図１】
2011175050.tif 000003
【図２】
2011175050.tif 000004
【図３】
2011175050.tif 000005
【図４】
2011175050.tif 000006
【図５】
2011175050.tif 000007
【図６】
2011175050.tif 000008
【図７】
2011175050.tif 000009
【図８】
2011175050.tif 000010
【図９】
2011175050.tif 000011